(57)【特許請求の範囲】
【請求項１】
入賞時に遊技球を払い出すための賞球払い出し通路を本体側に備え、前記賞球払い出し通路から払い出された賞球を貯留する上皿及び下皿を前面扉側に備え、該前面扉の開放時に前記上皿及び下皿と前記賞球払い出し通路とを連通する上排出口及び下排出口が開放状態となる構造の遊技機であって、以下の構成を有する賞球排出口ストッパーを備えていることを特徴とする遊技機。
（１−１）前記賞球払い出し通路の前記上下の排出口の前面側に、該上下の排出口からの遊技球の排出を阻止する閉鎖位置と、該上下の排出口から前記上下の皿へと遊技球を排出することのできる開放位置との間を移動可能なシャッタ板を組み付けてあること。
（１−２）前記シャッタ板に対して前記閉鎖位置への付勢力を加える付勢部材を備えていること。
（１−３）前記シャッタ板には、前記閉鎖位置において前記上下の排出口の前面側に位置して遊技球の排出を阻止する上下規制部が形成される一方で、該上下規制部は、前記開放位置において、前記上下の皿への遊技球の排出を成し得るように、前記上下の排出口の前面側を開放するよう構成されていること。
（１−４）前記前面扉側に前記本体側に向かって突出する突起部を設けたこと。
（１−５）前記前面扉を閉じたときに前記突起部と係合することにより、前記付勢部材の付勢力に抗して前記シャッタ板を開放位置に移動させる操作部材を、該シャッタ板に連結してあること。
【請求項２】
さらに、以下の構成をも備えたことを特徴とする請求項１記載の遊技機。
（２−１）前記賞球払い出し通路の前記上下の排出口を遊技球の通過を許容する開口を有する取付枠を前記本体側に取り付けたこと。
（２−２）該取付枠で前記シャッタ板を移動可能にガイドすると共に、前記付勢部材及び前記操作部材を、該取付枠に組み付けたこと。
【請求項３】
さらに、以下の構成をも備えたことを特徴とする請求項２記載の遊技機。
（３−１）前記操作部材を、前記取付枠に回動可能に取り付けられると共に、その回動中心から横方向に伸びて前記シャッタ板の下部に連結される横アームと、前記回動中心から下方に伸びる下アームとを有するリンクレバーによって構成したこと。
（３−２）前記前面扉は前記本体に対して水平方向に回動可能に取り付けられること。
（３−３）前記突起部を、前記リンクレバーの前記下アームに対して、前記前面扉の回動軸と反対側から当接し、該前面扉を閉じるに従って前記下アームの先端を前記回動軸に向かって回動させる部材として構成したこと。
（３−４）前記付勢部材を、その下端を前記シャッタ板に連結され、その上端を前記取付枠と連結された引っ張りバネ部材によって構成したこと。
【請求項４】
さらに、以下の構成をも備えたことを特徴とする請求項１〜３のいずれか記載の遊技機。
（４−１）前記本体側に、前記下排出口の下方に位置し、前方に突出する張り出し部を備えたこと。
（４−２）前記前面扉側に、前記下皿と連通し、該前面扉を閉じたときに前記張り出し部の下方に収まる、上方開口の球受け部を備えたこと。
（４−３）前記張り出し部は、前記前面扉を開くとき、前記シャッタ板が前記閉鎖位置にほぼ移動し終えるまで、前記球受け部と上下に重なった状態を維持可能な突出量としたこと。
【発明の詳細な説明】
【技術分野】
【０００１】
本発明は、パチンコ機、アレンジボール機、雀球機、遊技球を用いたスロットマシン等の遊技機に係り、特に、前面扉を開いた際に賞球排出口から遊技球が落下するのを防止するためのストッパーを備えた遊技機に関する。
【背景技術】
【０００２】
近年、遊技球を用いたスロットマシン（以下、「パチンコ式スロットマシン」という。）が提案されている（例えば、特許文献１など）。パチンコ式スロットマシンは、通常、前面扉に上皿及び下皿を備え、点検等の際に前面扉を開くと、上皿及び下皿と賞球排出通路の開口部とを連通する部分が同時に開放されてしまう構造となっている。
【０００３】
ここで、遊技中に点検等のために前面扉を開くときは、賞球排出口から賞球がこぼれ落ちるおそれがあることから、従来より、パチンコ機に関して、賞球排出口ストッパーが提案されている（特許文献２，特許文献３）。
【０００４】
特許文献２に開示されたストッパーは、図１４（Ａ）に示す様に、第１突起部１１１０を有する第１遮蔽機構１１００と、第１突起部１１１０と係合し得る第２突起部１２１０を有する第２遮蔽機構１２００とを賞球排出通路の開口部に設置し、球受皿支持部材を閉じた状態では突起部同士が係合してバネ１２２０を縮小させてシャッタ１２３０を引き下げ、球受皿支持部材を開放すると突起部同士の係合が解かれてバネ１２２０によりシャッタ１２３０を押し上げることにより、前面扉の開閉に連動して開口部を開閉するものである。
【０００５】
また、特許文献３に開示されたストッパーは、図１４（Ｂ）に示す様に、賞球出口近傍部分に、ねじりコイルバネ１３１０で上方に付勢された跳ね上げ式の下流側部１３２０を備え、前皿部扉１３３０の閉状態では、前皿部１３４０の一部である係合部１３５０が下流側部１３２０に係合して下流側部１３２０を押し下げて賞球の流通可能な状態とし、前皿部扉１３４０を開くと係合が解けて下流側部１３２０を跳ね上げることで賞球の落下を防止する様にしたものである。
【０００６】
従って、パチンコ式スロットマシンの場合にも、前面扉の開放時の賞球落下を防止するには、特許文献２，３に開示された様なストッパーを設置すればよい。
【特許文献１】特開２００５−１６０９３８（００３９、図１，３）
【特許文献２】特開２００３−２０５１５５（００６１、図１３）
【特許文献３】特開２００２−１１９７１８（００３９〜００４４、図２，３）
【発明の開示】
【発明が解決しようとする課題】
【０００７】
しかしながら、パチンコ式スロットマシンでは、前述の様に、点検等に際して前面扉を開放すると、上皿及び下皿への賞球出口の両方が同時に開放されることから、各出口を閉鎖する必要がある。このため、パチンコ式スロットマシンに特許文献２，３の技術を適用する場合には、複数のストッパーを設置する必要があり、部品点数が増加すると共に、これら複数のストッパーを扉の開閉に連動してスムーズに作動させるための取付精度に応じた組み立て工数の増加も発生する。この問題は、パチンコ式スロットマシンに限るものではなく、前面扉の開放時に上皿と下皿を同時に開放する様な構造のパチンコ機、アレンジボール機などにおいても生じ得る問題である。
【０００８】
そこで、本願は、前面扉の開放時に複数の開口部をほぼ同時に遮蔽して賞球の落下を防止できると共に、その様な機能を備えるために部品点数が増加したり、組み立て工数が増加するといったことがない様にすることを目的とする。
【課題を解決するための手段】
【０００９】
本願では、上記目的を達成するためになされた本発明の遊技機は、入賞時に遊技球を払い出すための賞球払い出し通路を本体側に備え、前記賞球払い出し通路から払い出された賞球を貯留する上皿及び下皿を前面扉側に備え、該前面扉の開放時に前記上皿及び下皿と前記賞球払い出し通路とを連通する上排出口及び下排出口が開放状態となる構造の遊技機であって、以下の構成を有する賞球排出口ストッパーを備えていることを特徴とする。
（１−１）前記賞球払い出し通路の前記上下の排出口の前面側に、該上下の排出口からの遊技球の排出を阻止する閉鎖位置と、該上下の排出口から前記上下の皿へと遊技球を排出することのできる開放位置との間を移動可能なシャッタ板を組み付けてあること。
（１−２）前記シャッタ板に対して前記閉鎖位置への付勢力を加える付勢部材を備えていること。
（１−３）前記シャッタ板には、前記閉鎖位置において前記上下の排出口の前面側に位置して遊技球の排出を阻止する上下規制部が形成される一方で、該上下規制部は、前記開放位置において、前記上下の皿への遊技球の排出を成し得るように、前記上下の排出口の前面側を開放するよう構成されていること。
（１−４）前記前面扉側に前記本体側に向かって突出する突起部を設けたこと。
（１−５）前記前面扉を閉じたときに前記突起部と係合することにより、前記付勢部材の付勢力に抗して前記シャッタ板を開放位置に移動させる操作部材を、該シャッタ板に連結してあること。
【００１０】
かかる構成からなる本発明の遊技機によれば、点検等のために前面扉を開放すると、突起部が前面扉と共に前方へ移動し、操作部材から離れる。この結果、シャッタ板には、開放位置に保持するための力が作用しなくなり、付勢部材による付勢力だけが作用した状態となる。従って、シャッタ板は、付勢部材の付勢力によって排出口の前面側を閉鎖位置へと移動し、上下規制部が上下の排出口の前面側に位置して遊技球が排出されるのを阻止する。一方、前面扉を閉じると、突起部が操作部材に係合し、シャッタ板を開放位置に向かって移動させる。この結果、シャッタ板は、上下規制部が排出口を開放する開放位置へと移動し、賞球払い出し通路から上下の皿へと遊技球を排出することができる状態に復帰する。この様に、本発明の遊技機では、上記（１−１）〜（１−５）の構成を有する賞球排出口ストッパーを備えたことにより、一枚のシャッタ板で、前面扉の開放に伴って上下の排出口をほぼ同時に閉鎖状態とすることができ、逆に、前面扉を閉じる際には、上下の排出口をほぼ同時に開放状態とすることができる。
【００１１】
ここで、シャッタ板の上下規制部は、遊技球の排出を阻止し得るものであればよいことから、上下の排出口を完全に閉鎖するものである必要はない。また、シャッタ板の移動方向は、上下方向であってもよいし、左右方向であってもよい。
【００１２】
例えば、図１（Ａ−１）に示す様に、シャッタ板Ａ１として、上排出口Ｂ及び下排出口Ｃの開口に対応する上下の連通窓Ｄ１，Ｅ１を備えたものを用いて、前面扉の閉鎖時にはシャッタ板Ａ１を下降位置に保持して上下の排出口Ｂ，Ｃの開口と上下の連通窓Ｄ１，Ｅ１とを連通状態として遊技球の排出が可能な状態とし（図１（Ａ−２）参照。）、前面扉の開放時には付勢部材Ｆ１によってシャッタ板Ａ１を上昇位置に引き上げて上下の排出口Ｂ，Ｃの開口の下縁よりも上下の連通窓Ｄ１，Ｅ１の開口の下縁が突出した状態にすることで遊技球の排出を阻止することができる（図１（Ａ−２）参照。）。この場合、「各連通窓Ｄ１，Ｅ１の下縁」が「上下規制部」となる。
【００１３】
また、図１（Ｂ−１）に示す様に、シャッタ板Ａ２として、下排出口Ｃの開口に対応する下連通窓Ｅ２を備えると共に、当該下連通窓Ｅ２の上枠部Ｇ２の上縁が上排出口Ｂの開口の下縁よりも突出しないものを用いて、前面扉の閉鎖時にはシャッタ板Ａ２を下降位置に保持して上下の排出口Ｂ，Ｃから遊技球の排出が可能な状態とし（図１（Ｂ−２）参照。）、前面扉の開放時には付勢部材Ｆ２によってシャッタ板Ａ２を上昇位置に押し上げて下連通窓Ｅ２の開口の下縁及び上枠部Ｇ２の上縁が上下の排出口Ｂ，Ｃに対する規制位置となる様にして遊技球の排出を防止することもできる（図１（Ｂ−２）参照。）。この場合、「下連通窓Ｅ２の下縁」及び「上部枠Ｇ２の上縁」が「上下規制部」となる。
【００１４】
さらに、図１（Ｃ−１）に示す様に、シャッタ板Ａ３として、上排出口Ｂの開口に対応する上連通窓Ｄ３を備えるものを用いて、前面扉の閉鎖時にはシャッタ板Ａ３を上昇位置に保持して上下の排出口Ｂ，Ｃから遊技球の排出が可能な状態とし（図１（Ｃ−２）参照。）、前面扉の開放時には付勢部材Ｆ３によってシャッタ板Ａ３を下降位置に押し下げて上連通窓Ｄ３の上枠部Ｇ３の上縁及び下枠部Ｈ３の上縁が規制位置となる様にして遊技球の排出を阻止することもできる（図１（Ｃ−２）参照。）。この場合、上連通窓Ｄ３の「上部枠Ｇ３の上縁」及び「下枠部Ｈ３の上縁」が「上下規制部」となる。
【００１５】
また、図１（Ｄ−１）に示す様に、シャッタ板Ａ４として、その上縁が上排出口Ｂの開口よりも上方に位置し、その下縁が下排出口Ｃの下縁から遊技球の直径未満の高さに位置するものを用いて、前面扉の閉鎖時にはシャッタ板Ａ４を右位置に保持して上下の排出口Ｂ，Ｃから遊技球の排出が可能な状態とし（図１（Ｄ−２）参照。）、前面扉の開放時には付勢部材Ｆ４によってシャッタ板Ａ４を左位置に押し出して、その上下の縁が規制位置となる様にして遊技球の排出を阻止することもできる（図１（Ｄ−２）参照。）。この場合、「シャッタ板Ａ４の上下の縁」が「上下規制部」となる。
【００１６】
なお、本発明は、図１に例示したものに限らず、その要旨を逸脱しない範囲内において、種々の具体的構成を採用することができる。即ち、移動方向は「上から下」でも「下から上」でも、「右から左」でも「左から右」でもよく、付勢部材は「押す力として付勢力を加えるもの」であっても「引く力として付勢力を加えるもの」であってもよい。また、上下規制部によって遊技球の排出を阻止する構成であれば、例えば、図１（Ａ−１）に例示したシャッタ板Ａ１の上連通窓Ｄ１を上部枠を備えない上方開放のものとしても構わない。また、同じくシャッタ板Ａ１において、下降位置にあるときに、上下の連通窓Ｄ１，Ｅ１の下縁が上下の排出口Ｂ，Ｃの下縁よりも上方に突出しなければ足り、シャッタ板Ａ１の上縁及び左右縁が上下の排出口Ｂ，Ｃの開口内に位置するものであっても構わない。
【００１７】
この様に、本発明によれば、上下規制部を備えた一枚のシャッタ板によって上下の排出口の閉鎖・開放を行うので、特許文献２に示される様なストッパーを各排出口に対して取り付ける必要がなく、部品点数を増加させない。しかも、本体に取り付けるべきストッパーは一つで足りるから、ストッパーの取付に伴って、上下の排出口の間隔を大きくしなければならないといった問題も生じない。よって、本発明によれば、部品点数の増加を招くことがなく、取付工数の増加も招かず、さらに、遊技機の構造に関する大幅な設計変更をも必要としない。
【００１８】
ここで、本発明の遊技機においては、シャッタ板を本体に対して直接組み付けることもできるが、さらに、以下の構成をも備える様にするとよい。
（２−１）前記賞球払い出し通路の前記上下の排出口を遊技球の通過を許容する開口を有する取付枠を前記本体側に取り付けたこと。
（２−２）該取付枠で前記シャッタ板を移動可能にガイドすると共に、前記付勢部材及び前記操作部材を、該取付枠に組み付けたこと。
【００１９】
この（２−１）及び（２−２）をも備えた遊技機では、取付枠に対してシャッタ板を組み付け、この取付枠を本体に取り付けるという作業により、上述の様に前面扉の開放・閉鎖に伴って上下の排出口をほぼ同時に閉鎖・開放するシャッタ板を容易に取り付けることができる。
【００２０】
取付枠に形成する開口についても、シャッタ板に連通窓を設ける場合と同じく、その下縁以外は、遊技球の通過を許容する様になっていればよく、下排出口の上縁や左右縁に対して外側に位置していても内側に位置していても構わない。なお、取付枠の開口より上方の部分は、上排出口における遊技球の通過を許容する様にする。この場合、下排出口に対応する開口（以下、必要に応じて「下開口」という。）の上方に、上排出口に対応する開口（以下、必要に応じて「上開口」という。）を形成してもよい。また、この場合、上開口は上縁を備えない上方開放のものとしてもよい。
【００２１】
ここで、「（２−３）前記取付枠を、前記開口を有する背面板と、該背面板から前方へ突出する壁面部とによって前面開放の箱体状に構成すること。」ができる。これにより、本発明において重要な動作をするシャッタ板を強固に支持することができる。また、この場合、「（２−４）前記シャッタ板に、前記開放位置において前記上下の排出口の前面側に位置して前記上下の遊技球の排出が可能な通路を形成する上下の連通窓を備える」場合は、「該上連通窓を上方が開いた形状とすること。」にすれば、取付枠を大きなものとしなくてよい。即ち、上連通窓を備える場合に、その上方が開いた形状とすることにより、シャッタ板の上縁は常に「取付枠の上開口及び本体の上排出口」の各上縁よりも下に位置する様な寸法に設計することが可能となり、ストッパーをコンパクトなものとすることができるからである。
【００２２】
また、本発明の遊技機においては、さらに、以下の構成をも備える様にするとよい。
（３−１）前記操作部材を、前記取付枠に回動可能に取り付けられると共に、その回動中心から横方向に伸びて前記シャッタ板の下部に連結される横アームと、前記回動中心から下方に伸びる下アームとを有するリンクレバーによって構成したこと。
（３−２）前記前面扉は前記本体に対して水平方向に回動可能に取り付けられること。
（３−３）前記突起部を、前記リンクレバーの前記下アームに対して、前記前面扉の回動軸と反対側から当接し、該前面扉を閉じるに従って前記下アームの先端を前記回動軸に向かって回動させる部材として構成したこと。
（３−４）前記付勢部材を、その下端を前記シャッタ板に連結され、その上端を前記取付枠と連結された引っ張りバネ部材によって構成したこと。
【００２３】
かかる構成（３−１）〜（３−４）をも採用することにより、本体の左端又は右端を回動中心として水平方向に回動する前面扉の回動動作に伴って、リンクレバーを左右に回動させることができ、さらに、このリンクレバーの左右への回動動作に伴って、シャッタ板を上下に移動させることができる。なお、引っ張りバネ部材は、一つでもよいが、前記（３−３）に代えて、「（３−３−１）前記付勢部材を、前記シャッタ板の左右端部に下端を連結され、上端を前記取付枠と連結された左右の引っ張りバネ部材によって構成したこと。」という構成を採用すれば、引っ張りバネ部材による上方への付勢力のバランスを取ることができ左右方向への傾きを防止することができると共に、引っ張りバネ部材の上端の取付位置を高くする必要がないので、取付枠の大型化を招かないという作用・効果も発揮される。
【００２４】
また、図１から明らかな通り、シャッタ板を下から上への移動によって開放位置から閉鎖位置へ移動させる構成とする場合、移動距離を短くすることができるから、上記（３−１）〜（３−４）の構成は、シャッタ板の移動距離を短くする点からも取付枠の大型化を招かないものとなっている。
【００２５】
なお、「（３−４）前記取付枠のガイドを、前記シャッタ板の左右方向への回転を阻止し得るものとしたこと。」という構成をも採用すれば、移動時のシャッタ板の左右方向への回転が阻止されるから、開放位置に下降したときに上下規制部が傾斜によって上下の排出口の前面に突出した状態となるのを防止できる。
【００２６】
また、本発明の遊技機においては、さらに、以下の構成をも備える様にするとよい。
（４−１）前記本体側に、前記下排出口の下方に位置し、前方に突出する張り出し部を備えたこと。
（４−２）前記前面扉側に、前記下皿と連通し、該前面扉を閉じたときに前記張り出し部の下方に収まる、上方開口の球受け部を備えたこと。
（４−３）前記張り出し部は、前記前面扉を開くとき、前記シャッタ板が前記閉鎖位置にほぼ移動し終えるまで、前記球受け部と上下に重なった状態を維持可能な突出量としたこと。
【００２７】
これら（４−１）〜（４−３）をも備えるのは、次の理由による。一つは、シャッタ板が上昇の途中にあるときにこぼれ落ちる遊技球をすくい取るためである。ここで、付勢部材を付勢力の強いものとしたり、突起部と操作部材の係合を素早く解くような構造とすることにより、シャッタ板を素早く上昇させる対策も考えられる。しかしながら、突起部と操作部材の係合を素早く解くような構造とする場合、部品精度や組み立て精度の向上に多大な労力を強いられる可能性がある。また、付勢部材の付勢力を強大にし過ぎると、上昇位置に停止する際の振動が遊技球のこぼれ落ちを誘発する可能性もある。加えて、上昇時にシャッタ板の真上辺りに遊技球が存在していると、これを跳ね上げてこぼれ落とすという問題も生じる。従って、本発明の目的の内、前面扉開放時に一つの部材で上下の排出口を塞ぐこと以外の、特に、こぼれ落ちを防止するという目的に対し、有効に作用するものとして、これら（４−１）〜（４−３）の構成を備えることは、より望ましいのである。
【００２８】
なお、本願からは、次の様な技術思想を抽出することもできる。
【００２９】
入賞時に遊技球を払い出すための賞球払い出し通路を本体側に備え、前記賞球払い出し通路から払い出された賞球を貯留する球受皿を前面扉側に備え、該前面扉の開放時に前記球受皿と前記賞球払い出し通路とを連通する排出口が開放状態となる構造の遊技機であって、以下の構成を有する賞球排出口ストッパーを備えていることを特徴とする遊技機。
（Ａ）前記賞球払い出し通路の前記排出口の前面側に、該排出口からの遊技球の排出を阻止する閉鎖位置と、該排出口から前記球受皿へと遊技球を排出することができる開放位置との間を移動可能なシャッタ板を組み付けてあること。
（Ｂ）前記前面扉側に前記本体側に向かって突出する突起部を設けたこと。
（Ｃ）前記前面扉を閉じたときに前記突起部と係合することにより、前記シャッタ板を前記閉鎖位置に移動させる操作部材を、該シャッタ板に連結してあること。
（Ｄ）前記シャッタ板を前記開放位置へと付勢する付勢部材を備えていること。
（Ｅ）前記本体側に、前記排出口の下方に位置し、前方に突出する張り出し部を備えたこと。
（Ｆ）前記前面扉側に、前記球受皿と連通し、該前面扉を閉じたときに前記張り出し部の下方に収まる、上方開口の球受け部を備えたこと。
（Ｇ）前記張り出し部は、前記前面扉を開くとき、前記シャッタ板が前記閉鎖位置にほぼ移動し終えるまで、前記球受部と上下に重なった状態を維持可能な突出量としたこと。
【００３０】
（Ａ）〜（Ｇ）を備えた遊技機によれば、シャッタ板によって排出口を閉鎖状態とする際に、シャッタ板の移動が素早くないことからこぼれ落ちたり、シャッタ板によって跳ね上げられてこぼれ落ちる遊技球を確実にすくい取ることができる。これは、特許文献２のシャッタ方式の従来技術では解決できなかった課題を解決するものである。即ち、特許文献２のシャッタ方式の従来技術は、シャッタの上昇遅れやシャッタによる跳ね上げによる遊技球のこぼれ落ちという問題を有しているのである。また、特許文献３の従来技術では、本体側に補助皿部１４１０を有しているが（図１４（Ｂ）参照）、跳ね上げ式の下流側部１３２０で遊技球を跳ね上げてしまう可能性は高く、こぼれ落ちる遊技球のすくい取り機能としては十分とはいえない。また、こぼれ落ちた遊技球は、本来、遊技者が獲得したものである。この点、上記（Ａ）〜（Ｇ）を備えた遊技機は、本来遊技者が獲得した遊技球をこぼれ落とすことなく、球受皿側にすくい取ることができるので、特許文献２，３の技術のこれらの問題点を解決するものとなっているのである。
【００３１】
なお、（Ａ）〜（Ｇ）に加えて、さらに、以下の構成をも備えることで、前述した（２−１）及び（２−２）を備えた遊技機と同様に、取付容易性を発揮することができる。
（Ｈ）前記賞球払い出し通路の前記排出口を遊技球の通過を許容する開口を有する取付枠を前記本体側に取り付けたこと。
（Ｉ）該取付枠で前記シャッタ板を移動可能にガイドすると共に、前記付勢部材及び前記操作部材を、該取付枠に組み付けたこと。
【００３２】
また、（Ａ）〜（Ｉ）に加えて、さらに、以下の構成をも備えることで、前述した（３−１）〜（３−４）をも採用する場合に発揮されるスムーズで確実な動作性を発揮することができる。
（Ｊ）前記操作部材を、前記取付枠に回動可能に取り付けられると共に、その回動中心から横方向に伸びて前記シャッタ板の下部に連結される横アームと、前記回動中心から下方に伸びる下アームとを有するリンクレバーによって構成したこと。
（Ｋ）前記前面扉は前記本体に対して水平方向に回動可能に取り付けられること。
（Ｌ）前記突起部を、前記リンクレバーの前記下アームに対して、前記前面扉の回動軸と反対側から当接し、該前面扉を閉じるに従って前記下アームの先端を前記回動軸に向かって回動させる部材として構成したこと。
（Ｍ）前記付勢部材を、その下端を前記シャッタ板に連結され、その上端を前記取付枠と連結された引っ張りバネ部材によって構成したこと。
【００３３】
上記構成に加えて、さらに、以下の構成をも備えてもよい。
（Ｎ）前記取付枠のガイドを、前記閉鎖位置から開放位置への移動の際に、前記上下規制部が前記排出口の下縁に対して水平を保ったまま移動する様に、前記シャッタ板の左右方向への回転を阻止し得るものとしたこと。
【発明の効果】
【００３４】
本発明によれば、前面扉の開放時に複数の開口部をほぼ同時に遮蔽して賞球の落下を防止できると共に、その様な機能を備えるために部品点数が増加したり、組み立て工数が増加するといったことがないといった有利な効果を発揮することができる。特に、パチンコ機に比べて賞球の払い出し数が多いパチンコ式スロットマシンにおいて、（４−１）〜（４−３）をも備えることによるこぼれ落ち防止効果は極めて高いものとなる。
【発明を実施するための最良の形態】
【００３５】
以下、本発明を具体化した実施形態を図面に基づいて詳細に説明する。実施形態は、遊技機の一例であるパチンコ式スロットマシンである。なお、パチンコ式スロットマシンとは、メダルではなく遊技球を用いて賭数を設定して遊技を行うスロットマシンである。
【００３６】
図２は、パチンコ式スロットマシン１と、このパチンコ式スロットマシン１に並設されて使用されるカードユニット（遊技球等貸出装置）５の正面図である。
【００３７】
パチンコ式スロットマシン１は、本体を構成する外枠４と、この外枠４の側端に回動自在に枢支された内枠３及び前面扉２を備えている。前面扉２には、前面扉２の裏面に設けられた施錠装置（図示略）によって前面扉２及び内枠３を開閉するためのドアキー（ドアキー上４１、ドアキー下４２）が設けられている。
【００３８】
ドアキー上４１に挿入したキーを時計回り方向に回動操作することにより前面扉２の施錠が解除されて前面扉２を開放することができ、反時計回り方向に回動操作することにより内枠３を開放することができるようになっている。図３は、前面扉２を開放して開いた状態を、前面扉２と内枠３の枠体について示した斜視図である。
【００３９】
一方、ドアキー下４２を時計回り方向に回動操作することにより各種異常（エラー）の解除をすることができ、反時計回り方向に回動操作することで打ち止め解除をすることができるようになっている。
【００４０】
前面扉２には、図２に示す様に、ゲームの説明や演出表示等のために、上から、上部パネル６、中部パネル７及び下部パネル８が備えられている。
【００４１】
上部パネル６には、入賞に係る図柄の組合せと各組合せにより獲得できる遊技球の球数を表記した遊技説明が表示される。また、中部パネル７には、演出表示器４０が設けられており、遊技状態に応じた各種表示内容が表示されるようになっている。
【００４２】
下部パネル８には、内枠３に内設されたリール１４０Ｌ、１４０Ｃ、１４０Ｒ（図５参照）を透視可能な透視窓９が備えられている。この透視窓９の左側には、図２に示す様に、左上から順に、デジタル表示ＬＥＤ５４（ビックボーナス（ＢＢ）、レギュラーボーナス（ＲＢ）、打ち止め時に表示）、状態表示ＬＥＤ５５、投入球数表示ＬＥＤ５６、投入可能表示ＬＥＤ５７、再遊技表示ＬＥＤ５８、及びウェイト表示ＬＥＤ５９が設けられ、透視窓９の右側には、上から順に、演出表示ＬＥＤ６０、投入不足表示ＬＥＤ６１、及び獲得球数表示ＬＥＤ６２が設けられている。
【００４３】
デジタル表示ＬＥＤ５４は、３桁の７セグメントＬＥＤで構成され、ＢＢ中の残り払出球数状況や、ＲＢ中の残り入賞回数等を表示する。特にＢＢが終了して打ち止め状態となった際には「ＥＥＥ」という文字を表示して、遊技者に打ち止め状態である旨を報知する。
【００４４】
状態表示ＬＥＤ５５は、ＢＢまたはＲＢに内部当選した場合に点灯する。投入球数表示ＬＥＤ５６は、投入された遊技球の球数に応じて１ＢＥＴ（本実施形態では５球）ごとにＬＥＤが１つ点灯する。投入可能表示ＬＥＤ５７は、遊技球を使用して賭数を設定可能な状態である場合にその内部に内蔵されたＬＥＤが点灯し、最大の賭数が設定された場合、ゲームが開始された場合等に消灯する。再遊技表示ＬＥＤ５８は、リプレイ入賞が発生した場合に、その内部に内蔵されたＬＥＤが点灯する。
【００４５】
ウェイト表示ＬＥＤ５９は、ウェイトタイム中にスタート操作が検出された場合に、その内部に内蔵されたＬＥＤが点灯し、ウェイトタイムが経過した後に消灯する。ウェイトタイムとは、ゲームがあまりに速く進行しすぎてしまうことを規制するために設定された最短遊技時間である。このウェイトタイム中にスタート操作が検出されると、ウェイトタイムが経過した後にリールが始動するように設定されている。従って、十分な時間間隔を空けてゲームを進行する場合にはスタートレバー２３の操作時にゲームの進行が規制されることはないが、短時間でゲームを進行しようとする場合にはウェイトタイムによってゲームの進行が一時的に規制され、ウェイトタイムが経過するまでの間リールの始動待ち状態となる。つまり、このパチンコ式スロットマシン１では、前回のゲームでリールの回転が開始した時点を基準として、最短遊技時間（例えば４．１秒）が設定されており、前回のゲームでリールの回転が開始された時点から最短遊技時間が経過する前に今回のスタート操作が検出された場合は、最短遊技時間が経過した後にリールの回転が開始される様になっているのである。
【００４６】
演出表示ＬＥＤ６０は演出表示に用いるＬＥＤであり、投入不足表示ＬＥＤ６１は遊技球の投入不足を表示するのに用いるＬＥＤである。
【００４７】
獲得球数表示ＬＥＤ６２は、７セグメントＬＥＤによって構成され、１ゲーム中に発生した入賞に基づいて遊技者に付与される賞球数を表示する。また、獲得球数表示ＬＥＤ６２の表示は、入賞に基づいて賞球が付与される毎に更新される。さらに、獲得球数表示ＬＥＤ６２は、パチンコ式スロットマシン１に発生した各種の異常（エラー）を表示して報知するエラー表示器としても機能し、異常がメインＣＰＵにより検出された場合、その異常種別を特定可能なエラーコードが「Ｅ１」や「Ｅ２」等の態様により表示される。
【００４８】
下部パネル８の右側下方には、度数表示ＬＥＤ３４、球貸ボタン３５、返却ボタン３６及び球貸可能表示ＬＥＤ３７が設けられている。度数表示ＬＥＤ３４は、７セグメントＬＥＤで構成され、カードユニット５に挿入されたプリペイドカードから読み出された度数を表示する。球貸ボタン３５を押下すると、設定された個数の遊技球が貸し球として払い出される。そして、この貸し球の払い出しに応じて度数表示ＬＥＤ３４に表示された度数が減じられる。また、返却ボタン３６を押下すると、カードユニット５に挿入されているプリペイドカードが遊技者に返却される。
【００４９】
下部パネル８の下方には遊技球を貯留すると共にゲームに使用する遊技球を球送り装置８０（図４参照）へ供給するための上皿１１が突設されている。この上皿１１には、入賞により払出された遊技球、精算スイッチ２６の操作により払戻された遊技球、貸し球として払い出された遊技球、及び遊技者が入れた遊技球が貯留される。
【００５０】
前面扉２の下部には上皿１１からオーバーフローした遊技球及び上皿球抜きボタン２４を操作することによって排出された遊技球を貯留可能な下皿１２が突設されている。下皿１２の前面には、この下皿１２に貯留された遊技球を外部に排出するための下皿球抜きレバー２５が設けられている。
【００５１】
また、上皿１１の上面右側には１ＢＥＴボタン２０が、上面左側にはＭＡＸＢＥＴボタン２１が設けられているとともに、前面扉２の左側下部には精算スイッチ２６が設けられている。
【００５２】
１ＢＥＴボタン２０は、上皿１１に貯留されている遊技球から最小単位の賭数である１ＢＥＴ分（５球分）をゲームに賭ける際に押圧するボタンであり、ＭＡＸＢＥＴボタン２１は、１ゲームにおいて許容される賭数の最大数（本実施形態では３ＢＥＴ分）を上皿１１に貯留されている遊技球の範囲内でゲームに賭ける際に押圧するボタンである。精算スイッチ２６は、投入された遊技球が５球または１０球の場合に遊技球の払戻しをするときに使用するスイッチである。
【００５３】
なお、１ＢＥＴボタン２０の内部には１ＢＥＴボタンＬＥＤが、また、ＭＡＸＢＥＴボタン２１の内部にはＭＡＸＢＥＴボタンＬＥＤがそれぞれ内蔵されており、これらのＢＥＴボタンＬＥＤは、対応するＢＥＴボタンの操作が受付可能である場合に点灯し、受付不可である場合に消灯する。
【００５４】
上皿１１の前面右側には、上皿１１及び球送り装置８０に入った遊技球を下皿１２に排出させるための上皿球抜きボタン２４が設けられている。上皿球抜きボタン２４を操作すると、球送り装置８０と下皿１２とを連通する取込排出口が解放状態になり、上皿１１に入った遊技球及び上皿１１から球送り装置８０に入った遊技球を下皿１２に排出する。
【００５５】
上皿１１の前面中央には、スタートレバー２３と、停止ボタン２２Ｌ，２２Ｃ，２２Ｒとが設けられている。スタートレバー２３は、ゲームを開始する際に操作するレバーであり、賭数の設定終了後においてスタートレバー２３を操作することにより各リール１４０Ｌ，１４０Ｃ，１４０Ｒの回転が開始される。
【００５６】
停止ボタン２２Ｌ，２２Ｃ，２２Ｒは、回転しているリールを停止させるためのボタンであり、各リール１４０Ｌ，１４０Ｃ，１４０Ｒに対応するて３個の停止ボタンである。各停止ボタン２２Ｌ，２２Ｃ，２２Ｒの内部には停止ボタンＬＥＤが内蔵されている。これら停止ボタンＬＥＤは、対応する停止ボタン２２Ｌ，２２Ｃ，２２Ｒの操作が受付可能である場合に青色に点灯し、操作が受付不可である場合に赤色に点灯する。この停止ボタンは、一番早く操作した停止ボタンに対応する１個のリールが停止し、同時に２個以上の停止ボタンを操作した場合は、リールの回転は停止しないようになっている。また、停止ボタンを操作し続けた場合は、残りの停止ボタンを操作しても対応するリールは停止しないようになっている。
【００５７】
また、図４に示す様に、前面扉２の裏面の上皿１１の下方位置には、各ゲームの開始時にスロットマシン内部に遊技球を取り込むための球送り装置８０が設けられている。１ＢＥＴボタン２０またはＭＡＸＢＥＴボタン２１が操作されることで、上皿１１に貯留された遊技球からの中から、該当するＢＥＴ分の遊技球が、球送り装置８０を介してパチンコ式スロットマシン１の内部に取り込まれるようになっている。なお、球送り装置８０は、上皿１１から取り込む遊技球が受付可能な遊技球規格寸法の範囲であるかを選別する機能も備えている。
【００５８】
図５に示す様に、内枠３のほぼ中央部には、透光性を有する帯状のリールシートが外周に巻回されたリール（左）１４０Ｌ、リール（中）１４０Ｃ、リール（右）１４０Ｒが設けられている。各リール１４０Ｌ，１４０Ｃ，１４０Ｒには、それぞれ複数種の図柄が印刷されている。例えば、有効ラインに停止されることでＢＢが付与される「７」、ＲＢが付与される「ＢＡＲ」、次ゲームにおいて遊技球を投入することなく再遊技可能となる「リプレイ」、１０球の遊技球が払出される「チェリー」、７５球の遊技球が払出される「ベル」、３０球の遊技球が払出される「ミカン」、停止表示されても払出が行われない「キャラ」からなる図柄が印刷される。
【００５９】
各リール１４０Ｌ，１４０Ｃ，１４０Ｒは、各々に対応して設けられたステッピングモータによりそれぞれ独立して縦方向に回転・停止するように構成されており、各リールが回転することにより、透視窓９には各種図柄が連続的に変化しつつ表示されるようになっている。
【００６０】
内枠３の表面には、図５に示す様に、メイン電源をＯＮ／ＯＦＦする電源スイッチ１５２と、入賞確率を変更可能とする設定スイッチ１５４と、自動打止め機能をＯＮ／ＯＦＦする打止め切替スイッチ１５５と、遊技場の管理者等が所持する特定のキーを挿入した状態で所定の操作を行うことで設定値が表示される設定表示ＬＥＤ１５６と、前記設定スイッチ１５４の操作を可能、不可とする設定用キースイッチ１５３とが設けられている。
【００６１】
また、図６，図７に示す様に、内枠３の裏面には、遊技球の流路や遊技球の払出を行う第１払出装置１００及び第２払出装置１０１と、遊技の進行や球送り装置８０が実施する遊技球の取込を制御するメインＣＰＵや各種回路が備えられたメイン制御基板７０が設けられている。また、図５に示すように、内枠３の表面には、第１及び第２払出装置１００，１０１が実施する遊技球の払出を制御する払出ＣＰＵや各種回路等が備えられた払出制御基板７２が設けられている。さらに、図４に示すように前面扉２の裏面には、遊技に関連する演出を制御するサブＣＰＵや各種回路等が備えられたサブ制御基板７１が設けられている。なお、これらの基板７０，７１，７２は基板ケースに収納されて機構板に固定されている。
【００６２】
また、図４に示す様に、前面扉２の裏面には、表面に設けられているスピーカ口４４（図２参照）に臨む様に、スピーカ４５が固設されている。スピーカ４５は、例えば各ＢＥＴボタンの押圧、スタートレバー２３の操作、停止ボタン２２の押圧等、遊技中において各種操作がなされた場合や、特定の図柄の組み合わせが有効ライン上に揃って表示されて所定の入賞条件が成立した場合、あるいはＢＢやＲＢが実行されている場合等の各種遊技状態において、効果音等を出力する。
【００６３】
図６に示す様に、内枠３の裏面の上部位置には、スロットマシン１が設置される遊技島の補給装置（図示略）から補給される遊技球が貯留される遊技球補給タンク１１０が設けられている。そして、図６，図７に示す様に、この遊技球補給タンク１１０の下方には第１及び第２遊技球補給通路１１３，１１４が連設され、遊技球補給タンク１１０に貯留されている遊技球が第１及び第２球払出装置１００，１０１に向かって誘導されるようになっている。
【００６４】
この遊技球補給通路１１３，１１４は、二条形成されており、遊技球補給タンク１１０からカーブを描く形状となっている。また、第１及び第２遊技球補給通路１１３，１１４が入賞の発生等により付与された賞球の払出しや精算操作による払戻しや遊技球の貸出しを行い、上皿１１に排出させるための第１及び第２払出装置１００，１０１に連設されている。なお、遊技球補給タンク１１０から供給された遊技球が第１及び第２遊技球補給通路１１３，１１４において均一に二条に分流され、左右方向にカーブを描くように転動した後、第１及び第２払出装置１００，１０１に供給されるようになっている。
【００６５】
第１及び第２遊技球補給通路１１３，１１４には、各条に対応して球切れセンサ（図示略）が設けられている。この球切れセンサにより第１及び第２遊技球補給通路１１３，１１４における遊技球の有無が検出されるようになっている。
【００６６】
図３，図７に示すように、第１及び第２払出装置１００，１０１の下方には、前面扉２の上皿１１に連通する遊技球内部払出口上１１９が設けられている。第１及び第２払出装置１００，１０１から払出された遊技球は、この内枠３側の遊技球内部払出口上１１９から、前面扉２側の遊技球払出口通路上１２１を通って上皿１１に向かって払い出され、上皿１１内に貯留されるようになっている。また、上皿１１が満杯になることによって溢れた遊技球は、内枠３側において遊技球内部払出口下１２０を通過し、前面扉２側の遊技球払出口通路下１２２を介して前面扉２側に排出され、前面扉２内に設けられた遊技球払出通路１２３を流下し、前面扉２の下皿１２に払出されるようになっている。なお、内枠３には、下皿１２が遊技球で満杯となった状態を検出する満杯センサも設けられている。
【００６７】
また、球送り装置８０から取り込まれた遊技球は、前面扉２に設けられた遊技球内部排出通路１２７（図４参照）から、内枠３の内部を貫通する遊技球排出口１２４（図５参照）を通過し、遊技島のアウト球タンクに排出されるようになっている。
【００６８】
また、上皿球抜きボタン２４の操作によって球送り装置８０の取込排出口から返却された遊技球は、前面扉２に設けられた遊技球返却通路１２８から遊技球払出通路１２３に合流し（図４参照）、下皿１２に排出される。
【００６９】
本実施形態では、この様に、一般的なパチンコ式スロットマシン１におけると同じく、入賞時に遊技球を払い出すための第１，第２遊技球補給通路１１３，１１４及び第１，第２球払出装置１００，１０１（賞球払い出し通路）を内枠３（本体）側に備え、賞球払い出し通路から払い出された賞球を貯留する上皿１１及び下皿１２を前面扉２側に備え、前面扉２の開放時に上皿１１及び下皿１２と賞球払い出し通路とを連通する様に内枠３に設けられた遊技球内部払出口上１１９及び遊技球内部払出口下１２０（上排出口及び下排出口）が開放状態となる構造を備えたものである。そして、本実施形態のパチンコ式スロットマシン１は、以下に説明する様な構成からなる賞球排出口ストッパー２００を備えている。
【００７０】
［賞球排出口ストッパー２００］
実施形態の採用した賞球排出口ストッパー２００は、図３に示す様に、内枠３側において、遊技球内部払出口上１１９及び遊技球内部払出口下１２０の前面に取り付けられるシャッター機構部材２０１と、前面扉２側に突設された突起部２０２及び球受け部２０３とから構成されている。
【００７１】
［シャッター機構部材２０１の構成］
シャッター機構部材２０１は、図８，図９に示す様に、内枠３にネジ止め固定される取付枠２０４と、この取付枠２０４によってガイドされて上下方向に摺動するシャッタ板２０６と、シャッタ２０６を上方の閉鎖位置に付勢する左右の引っ張りバネ部材２０７，２０８と、前面扉２を閉じたときに突起部２０２と係合することにより、引っ張りバネ部材２０７，２０８の付勢力に抗してシャッタ板２０６を下降させて開放位置に移動させるリンクレバー２０９とを備えている。取付枠２０４は、ＡＢＳ樹脂（アクリルニトリル−ブタジエン−スチレン共重合体）を射出成形して製造されており、シャッタ板２０４及びリンクレバー２０９は、ＰＯＭ樹脂（ポリオキシメチレン；ポリアセタール樹脂）を射出成形して製造されている。
【００７２】
［取付枠２０４］
取付枠２０４は、遊技球内部払出口上１１９及び遊技球内部払出口下１２０の開口と一致する上開口２１１及び下開口２１２を備える背面板２１３と、背面板２１３の周囲から前方へ突出する壁面部２１４とによって前面開放の箱体状に構成されている。
【００７３】
取付枠２０４の背面板２１３の上下の開口２１１，２１２の縁には前方へ突出する一定高さの四角形状の縁枠２２１，２２２が形成されている。また、取付枠２０４の壁面部２１４の内の左右の壁面部２１５，２１６から、縁枠２２１，２２２の前端との間にシャッタ板２０６を挟む上ガイド爪２２３Ｌ，２２３Ｒと下ガイド爪２２４Ｌ，２２４Ｒが突設されている。なお、右側のガイド爪２２３Ｒ，２２４Ｒと縁枠２２１，２２２との間隔は、シャッタ板２０６の板厚とほぼ一致しているが、左側のガイド爪２２３Ｌ，２２４Ｌと縁枠２２１，２２２との間隔は、シャッタ板２０６の板厚のほぼ２倍程度となっている。これは、後述する様に、シャッタ板２０６を嵌め込み易くするためである。
【００７４】
また、取付枠２０４の左壁面部２１５の下部から左方に突出する様に、リンクレバー支持枠部２３１が一体形成されている。このリンクレバー支持枠部２３１は、リンクレバー２０９を取付枠２０４に対して回動可能に支持するための部分である。
【００７５】
さらに、このリンクレバー支持枠部２３１の上部において左壁面部２１５から左方に突出する様に、左の引っ張りバネ部材２０７を収容する左バネ収容部２３２も一体形成されている。そして、この左バネ収容部２３２の上方に、左壁面部２１５から突出する様に、左バネ掛け部２３３が一体形成されている。また、左壁面部２１５及び背面板２１３には、左バネ収容部２３２の中程の位置に、上下に伸びる左スリット２３４が開口されている。左の引っ張りバネ部材２０７は、その上端を左バネ掛け部２３３に掛け止められると共に、その下端を左スリット２３４から外へ飛び出されたシャッタ板側左バネ掛け部２５６に掛け止められる。
【００７６】
また、取付枠２０４の背面板２１３の右上部の裏面には、右の引っ張りバネ部材２０８の上端を掛け止めるための右バネ掛け部２３５が突出形成されている。そして、その真下で左スリット２３４と高さ方向の一致する範囲に右スリット２３６が開口されている。右の引っ張りバネ部材２０８は、その上端を右バネ掛け部２３５に掛け止められると共に、その下端を右スリット２３６から外へ飛び出されたシャッタ板側右バネ掛け部２５７に掛け止められる。
【００７７】
さらに、取付枠２０４の壁面部２１４の内の下壁面部２１７は、前方に大きく張り出しており、その上面には、前方に向かって高さが低くされた三角形状の三角リブ２４１が遊技球の直径よりも十分に小さい間隔で一体形成されている。
【００７８】
［シャッタ板２０６］
シャッタ板２０６は、図８，図１０に示す様に、遊技球内部払出口上１１９及び遊技球内部払出口下１２０の開口と対応する上連通窓２５１及び下連通窓２５２が形成されている。ここで、下連通窓２５２は遊技球内部払出口下１２０と寸法・形状が一致する閉じた開口となっているが、上連通窓２５１は上方が開放されており、かつ、遊技球内部払出口上１１９の半分以下の高さとなっており、より詳しくは、シャッタ板を開放位置に移動させた際でも、シャッタ板が左右の上ガイド爪２２３Ｌ，２２３Ｒにより確実にガイドされるよう、左右の上ガイド爪２２３Ｌ，２２３Ｒよりも上方に位置するような高さとなっている。また、下連通窓２５２の上方枠部であると共に上連通窓２５１の下方である部分（以下、「連通窓上方枠部２５３ａ」という）は、遊技球内部払出口上１１９の下縁から遊技球内部払出口下１２０の上縁までの間隔と一致する高さになっている。これにより、本実施形態では、連通窓上方枠部２５３ａの上縁及び下連通窓２５２の下方の部分（以下、「連通窓下方枠部２５３ｂ」という）の上縁が、上下規制部として機能することになる。
【００７９】
シャッタ板２０６の左右の縁の中程には、取付枠２０４の上ガイド爪２２３Ｌ，２２３Ｒをかわしてシャッタ板２０６を取付枠２０４に嵌め込むための切り欠き部２５４Ｌ，２５４Ｒが形成されている。また、シャッタ板２０６の左の縁からは、ほぼシャッタ板２０６の板厚と同じ程度の突条２５５が前方へ突設されている。この突条２５５の前端からシャッタ板２０６の裏面までの間隔は、取付枠２０４の縁枠２２１，２２２と左側のガイド爪２２３Ｌ，２２４Ｌの間隔とほぼ一致し、若干小さい寸法となっている。なお、シャッタ板２０６の板厚は、取付枠２０４の縁枠２２１，２２２と右側のガイド爪２２３Ｒ，２２４Ｒの間隔とほぼ一致し、若干小さい寸法となっている。なお、シャッタ板２０６は、切り欠き部２５４Ｌ，２５４Ｒを上ガイド爪２２３Ｌ，２２３Ｒに合わせたときに下縁が下ガイド爪２２４Ｌ，２２４Ｒをかわす位置となる寸法に構成されている。
【００８０】
また、シャッタ板２０６には、左の切り欠き部２５４Ｌのやや上から左に伸びる様にシャッタ板側左バネ掛け部２５６が一体形成されると共に、右の切り欠き部２５４Ｒのやや左上から後方へ伸びる様にシャッタ板側右バネ掛け部２５７が一体形成されている。
【００８１】
さらに、シャッタ板２０６の左下端部には、リンクレバー２０９の横アーム２６２の先端を回動可能に連結する横長の長孔２５８が形成されている。
【００８２】
［リンクレバー２０９］
リンクレバー２０９は、図１１に示す様に、取付枠２０４に対する回動中心となる筒部２６１と、この筒部２６１から右へ伸びる横アーム２６２と、筒部２６１から斜め左下に伸びる下アーム２６３とを一体成形したものである。横アーム２６２は、その先端が斜め下に向くように屈曲されており、下アーム２６３は、その先端が真っ直ぐ下に向く様に屈曲されている。即ち、各アーム２６２，２６３は、その先端が互いに近付く方向へ屈曲されている。また、横アーム２６２の先端には、前方へ突出する突起２６４が一体形成されている。この突起２６４は、シャッタ板２０６の長孔２５８に挿入することによって、リンクレバー２０９の横アーム２６２をシャッタ板２０６に回動可能に連結するためのものである。
【００８３】
［突起部２０２の構成］
突起部２０２は、図１２に示す様に、球受け部２０３の壁面の内の前面扉２の回動軸に近い側の斜めカット面２８１から後方へ向かって突出する様に形成されている。なお、この突起部２０２は、球受け部２０３の後面壁２８２よりも若干後方に突出しており、その上下には、球受け部２０３の斜めカット壁面２８１との間を連結するリブ２７１，２７２で補強されている。
【００８４】
［球受け部２０３の構成］
球受け部２０３は、図３に示す様に、前面扉２側に、前面扉２側の遊技球払出口通路下１２１及び遊技球払出口通路下１２２の直下となる位置において、前面扉２の背面から後方に向かって突出形成された上方開口の皿状のものである。球受け部２０３は、前面扉２の内部において下皿１２と連通しており、前面扉２を閉じたときに取付枠２０４の下壁面部２１７の下方に収まる寸法となっている。また、図３に示す様に、球受け部２０３の前面扉２の回動軸から離れた側の側壁部２８４は、取付枠２０４の右壁面部２１６の下部を包み込む様に上方に立ち上げられている。
【００８５】
［シャッター機構部材２０１の組み立て］
シャッター機構部材２０１は、シャッタ板２０６を、そのシャッタ板側左バネ掛け部２５６を取付枠２０４の左スリット２３４に挿入しつつ、左側の切り欠き部２５４Ｌを左側の上ガイド爪２２３Ｌに合わせる様にして斜めに挿入しつつ嵌め込む。ここで、前述の様に、取付枠２０４の左側のガイド爪２２３Ｌ，２２３Ｒと縁枠２２１，２２２との間隔をシャッタ板２０６の板厚の２倍程度にしたので、この斜めに挿入する作業が容易に実施できる。また、シャッタ板２０６は、切り欠き部２５４Ｌ，２５４Ｒを上ガイド爪２２３Ｌ，２２３Ｒに合わせたときに下縁が下ガイド爪２２４Ｌ，２２４Ｒをかわす位置となる寸法に構成されているので、このシャッタ板側左バネ掛け部２５６を挿入する作業をしつつ取付枠２０４にシャッタ板２０６を嵌め込むことができる。この嵌め込み作業において、シャッタ板側右バネ掛け部２５７は、自然に、右スリット２３６に挿入された状態となる。
【００８６】
こうしてシャッタ板２０６を取付枠２０４に嵌め込んだら、リンクレバー２０９を、その突起２６４をシャッタ板２０６の長孔２５８に挿入すると共に、取付枠２０４に対して、筒部２６１の孔へ挿通したネジで固定する。なお、この筒部２６１の孔はネジの軸径に対して余裕があり、回動可能な状態となる。続いて、左右の引っ張りバネ部材２０７，２０８を、それぞれの上端を取付枠２０４のバネ掛け部２３３，２３５に掛け止めると共に、それぞれの下端をシャッタ板側のバネ掛け部２５６，２５７に掛け止める。
【００８７】
［シャッター機構部材２０１の動作］
この様にして組み立てた状態のシャッター機構部材２０１においては、各バネ部材２０７，２０８の付勢力によってシャッタ板２０６が上昇位置に静止した状態となる。この上昇位置にあるとき、シャッタ板２０６の連通窓上方枠部２５３ａの上縁（上連通窓２５１の下縁に相当）は、取付枠２０４の上開口２１１の下縁よりも所定量上に突出した状態となり、連通窓下方枠部２５３ｂの上縁（下連通窓２５２の下縁に相当）は、取付枠２０４の下開口２１２の下縁よりも所定量上に突出した状態となる。この状態は、シャッター機構部材２０１を内枠３にネジ止め固定した状態においては、遊技球内部払出口上１１９及び遊技球内部払出口下１２０の開口部分から遊技球が排出されるのを阻止する閉鎖位置に移動した状態となる（図１３（Ａ）参照）。
【００８８】
この閉鎖位置にシャッタ板２０６が移動した状態においては、リンクレバー２０９の下アーム２６３の先端が斜め右方向（前面扉２の回動軸から離れる方向）に向いた状態となる。
【００８９】
このとき、前面扉２を閉じると、完全に閉鎖する少し前のタイミングで前面扉２に突設した突起部２０２が右側から下アーム２６３の先端部分に当接して係合し、完全に閉鎖するまでの間に下アーム２６３の先端部分を左方向（前面扉２の回動軸の方向）に向かって押圧する状態となる。この突起部２０２による押圧力により、リンクレバー２０９は正面から見たときに時計方向に回動し、シャッタ板２０６を、引っ張りバネ部材２０７，２０８による上方への付勢力に抗して引き下げる。
【００９０】
この結果、シャッタ板２０６は上述の閉鎖位置から下降して開放位置に向かって移動し、上下規制部たる連通窓上方枠部２５３ａと連通窓下方枠部２５３ｂとが上下の遊技球内部払出口１１９，１２０の前面側を開放する。この開放位置は、前面扉２を完全に閉じた状態において実現され、シャッタ板２０６の連通窓上方枠部２５３ａの上縁（上連通窓２５１の下縁に相当）は、取付枠２０４の上開口２１１の下縁と一致し、連通窓下方枠部２５３ｂの上縁（下連通窓２５２の下縁に相当）も取付枠２０４の下開口２１２の下縁と一致した状態となる（図１３（Ｂ）参照）。この状態は、遊技球内部払出口上１１９及び遊技球内部払出口下１２０の開口部分から遊技球の排出を許可する開放位置である。
【００９１】
このシャッタ板２０６が開放位置にあるときは、引っ張りバネ部材２０７，２０８は伸ばされた状態になっており、シャッタ板２０６に対して上方へ引き上げようとする付勢力が加わっている。
【００９２】
この付勢力が加わっている状態において、前面扉２を開くと、突起部２０２によるリンクレバー２０９の下アーム２６３との係合が解かれ始め、ある角度になったときに完全に係合が解かれる。従って、突起部２０２によってリンクレバー２０９を介してシャッタ板２０６に加えられていた付勢力に抗する力がなくなり、引っ張りバネ部材２０７，２０８の収縮によってシャッタ板２０６は上昇する。
【００９３】
この結果、シャッタ板２０６は図１３（Ｂ）の開放位置から上昇して、図１３（Ａ）の閉鎖位置へと移動し、上下規制部たる連通窓上方枠部２５３ａと連通窓下方枠部２５３ｂとによって、遊技球内部払出口上１１９及び遊技球内部払出口下１２０の開口部分からの遊技球の排出が阻止される。
【００９４】
この開放位置から閉鎖位置への移動が完了するまでの間に遊技球内部払出口上１１９及び遊技球内部払出口下１２０の開口部分からこぼれ落ちる遊技球があった場合は、当該遊技球は、取付枠２０４の背面板２１１から前方へ大きく張り出している下壁面部２１７の上に落ちる。そして、下壁面部２１７の上面に形成されている三角形状の三角リブ２４１の傾斜により、前方へと転がる。この遊技球の転がった先には、下から球受け部２０３が遊技球を受けている。従って、こぼれ落ちた遊技球は、球受け部２０３に受け止められ、下皿１２へと収容される。
【００９５】
なお、本実施形態では、取付枠２０４の下壁面部２１６が本発明における張り出し部となっている。そして、下壁面部２１６の前方への張り出し量と、球受け部２０３の後方への突出量は、前面扉２を開くときに、突起部２０２とリンクレバー２０９との係合が解かれた状態では、未だ、下壁面部２１６と球受け部２０３とが上下に重なった状態となる様に設計されている。従って、前面扉２を開くとき、シャッタ板２０６が閉鎖位置にほぼ上昇し終えるまでは、球受け部２０３と下壁面部２１６とが上下に重なった状態が維持されている。
【００９６】
この結果、シャッタ板２０６によって遊技球内部払出口上１１９及び遊技球内部払出口下１２０を閉鎖状態とする際にこぼれ落ちる遊技球を球受け部２０３にて確実に受けることができる。
【００９７】
以上の様に、本実施形態によれば、点検等のために前面扉２を開放すると、突起部２０２が前面扉２と共に前方へ移動してリンクレバー２０９から離れることにより、シャッタ板２０６は、引っ張りバネ部材２０７，２０８による上方への付勢力によって上昇し、遊技球内部払出口上１１９及び遊技球内部払出口下１２０を同時に閉鎖状態とすることができる。
【００９８】
また、前面扉２を閉鎖すると、突起部２０２がリンクレバー２０９に係合してシャッタ板２０６を、引っ張りバネ部材２０７，２０８による付勢力に抗して引き下げ、遊技球内部払出口上１１９及び遊技球内部払出口下１２０を同時に開放とすることができる。
【００９９】
この様に、本実施形態のパチンコ式スロットマシン１では、一枚のシャッタ板２０６で上下二箇所の遊技球内部払出口１１９，１２０に対し、前面扉２の開放時に同時に閉鎖状態とし、閉鎖時に同時に開放状態とすることができる。
【０１００】
また、取付枠２０４に対してシャッタ板２０６を組み付け、この取付枠２０４を内枠３にネジで取り付けるという作業により、上述の様に前面扉２の開閉に伴って上下の遊技球内部払出口１１９，１２０をほぼ同時に閉鎖・開放するシャッタ板２０６を容易に取り付けることができる。
【０１０１】
加えて、本実施形態では、この様な作用を発揮するためにシャッタ板２０６に備えさせた上連通窓２５１を上方開放としたので、その高さを低くすることができ、シャッター機構部材２０１の大型化を招かない。
【０１０２】
また、リンクレバー２０９の左右への回動動作に伴って、シャッタ板２０６を上下に移動させる構成としたが、引っ張りバネ部材２０７，２０８を左右に設け、また、シャッタ板２０６の左右を取付枠２０４の左右の側壁部２１５，２１６でガイドする構成も採用したので、シャッタ板２０６が上下動する際に左右方向に傾いて開放不良等の問題を生じることもない。
【０１０３】
さらに、このガイドをする構造において、シャッタ板２０６のバネ掛け部の一方を横に張り出させ、他方を背面に張り出させると共に、取付枠２０４によるガイド部の板厚方向の隙間を、バネ掛け部を横に張り出させた側について広くし、当該側についてはシャッタ板２０６に前方へ突出する突条２５５を設けることとしたので、シャッター機構部材の組み立てが容易である。そして、容易に組み立てられるにも拘わらず、シャッタ板２０６のガタツキを防止することもできている。
【０１０４】
加えて、前面扉２側に球受け部２０３を設けると共に、球受け部２０３と上下に重なる様に取付枠２０４の下壁部２１７を張り出させたので、閉鎖動作の際のこぼれ落ちも防止できる。よって、バネ部材として付勢力の強いものとして振動・衝撃によるこぼれ落ちを誘発したり、部品精度や組み立て精度の向上に多大な労力を強いられることもない。
【０１０５】
そして、最後にいうならば、二箇所のストッパーを各排出口に対して取り付ける必要がなく、部品点数を増加させないし、本体に取り付けるべきストッパーは一つで足りるから、ストッパーの取付に伴って、上下の排出口の間隔を大きくしなければならないといった問題も生じない。よって、本実施形態は、部品点数の増加を招くことがなく、取付工数の増加も招かず、さらに、スロットマシンの構造に関する大幅な設計変更をも必要としない。
【０１０６】
以上、発明を実施するための最良の形態としての一実施形態を説明したが、本発明は、これに限定されるものではなく、その要旨を逸脱しない範囲内における種々の変更が可能である。
【図面の簡単な説明】
【０１０７】
【図１】本発明における賞球排出口ストッパーの種々の態様を例示する模式図である。
【図２】実施形態のパチンコ式スロットマシンの正面図である。
【図３】実施形態のパチンコ式スロットマシンにおいて前面扉を内枠に対して開いた状態を示し、（Ａ）は斜視図、（Ｂ）は要部の拡大斜視図である。
【図４】実施形態のパチンコ式スロットマシンの前面扉の背面図である。
【図５】実施形態のパチンコ式スロットマシンの内枠の正面図である。
【図６】実施形態のパチンコ式スロットマシンの内枠の背面図である。
【図７】実施形態のパチンコ式スロットマシンの要部を示し、（Ａ）は断面図、（Ｂ）当該断面部分の斜視図である。
【図８】実施形態のパチンコ式スロットマシンにおけるシャッター機構部材を示し、（Ａ）は正面図、（Ｂ）は背面図である。
【図９】実施形態のパチンコ式スロットマシンにおけるシャッター機構部材の取付枠を示し、（Ａ）は正面図、（Ｂ）は平面図、（Ｃ）は底面図、（Ｄ）は左側面図、（Ｅ）は右側面図、（Ｆ）は背面図、（Ｇ）はＡ−Ａ断面図である。
【図１０】実施形態のパチンコ式スロットマシンにおけるシャッター機構部材のシャッタ板を示し、（Ａ）は正面図、（Ｂ）は平面図、（Ｃ）は底面図、（Ｄ）は左側面図、（Ｅ）は右側面図、（Ｆ）は背面図である。
【図１１】実施形態のパチンコ式スロットマシンにおけるシャッター機構部材のリンクレバーを示し、（Ａ）は正面図、（Ｂ）は平面図、（Ｃ）は底面図、（Ｄ）は左側面図、（Ｅ）は右側面図、（Ｆ）は背面図、（Ｇ）はＡ−Ａ断面図である。
【図１２】実施形態のパチンコ式スロットマシンにおける賞球排出口ストッパーを構成する突起部を示し、（Ａ）は平面図、（Ｂ）は正面図、（Ｃ）は斜視図である。
【図１３】実施形態のパチンコ式スロットマシンにおける賞球排出口ストッパーの開閉状態を示し、（Ａ）は閉鎖位置の斜視図、（Ｂ）は開放位置の斜視図である。
【図１４】従来技術の説明図である。
【符号の説明】
【０１０８】
１・・・パチンコ式スロットマシン
２・・・前面扉
３・・・内枠
４・・・外枠
５・・・カードユニット
６・・・上部パネル
７・・・中部パネル
８・・・下部パネル
９・・・透視窓
１１・・・上皿
１２・・・下皿
２０・・・１ＢＥＴボタン
２１・・・ＭＡＸＢＥＴボタン
２２Ｌ，２２Ｃ，２２Ｒ・・・停止ボタン
２３・・・スタートレバー
２４・・・上皿球抜きボタン
２５・・・下皿球抜きレバー
２６・・・精算スイッチ
３４・・・度数表示ＬＥＤ
３５・・・球貸ボタン
３６・・・返却ボタン
３７・・・球貸可能表示ＬＥＤ
４１・・・ドアキー上
４２・・・ドアキー下
４４・・・スピーカ口
４５・・・スピーカ
５４・・・デジタル表示ＬＥＤ
５５・・・状態表示ＬＥＤ
５６・・・投入球数表示ＬＥＤ
５７・・・投入可能表示ＬＥＤ
５８・・・再遊技表示ＬＥＤ
５９・・・ウェイト表示ＬＥＤ
６０・・・演出表示ＬＥＤ
６１・・・投入不足表示ＬＥＤ
６２・・・獲得球数表示ＬＥＤ
７０・・・メイン制御基板
７１・・・サブ制御基板
７２・・・払出制御基板
８０・・・球送り装置
１００・・・第１払出装置
１０１・・・第２払出装置
１１０・・・遊技球補給タンク
１１３・・・第１遊技球補給通路
１１４・・・第２遊技球補給通路
１１９・・・遊技球内部払出口上
１２０・・・遊技球内部払出口下
１２１・・・遊技球払出口通路上
１２２・・・遊技球払出口通路下
１２３・・・遊技球払出通路
１２４・・・遊技球排出口
１２７・・・遊技球内部排出通路
１２８・・・遊技球返却通路
１４０Ｌ、１４０Ｃ、１４０Ｒ・・・リール
１５２・・・電源スイッチ
１５４・・・設定スイッチ
１５５・・・打止め切替スイッチ
１５６・・・設定表示ＬＥＤ
１５３・・・設定用キースイッチ
２００・・・賞球排出口ストッパー
２０１・・・シャッター機構部材
２０２・・・突起部
２０３・・・球受け部
２０４・・・取付枠
２０６・・・シャッタ板
２０７・・・左引っ張りバネ部材
２０８・・・右引っ張りバネ部材
２０９・・・リンクレバー
２１１・・・上開口
２１２・・・下開口
２１３・・・背面板
２１４・・・壁面部
２２１，２２２・・・縁枠
２１５・・・左壁面部
２１６・・・右壁面部
２２３Ｌ，２２３Ｒ・・・上ガイド爪
２２４Ｌ，２２４Ｒ・・・下ガイド爪
２３１・・・リンクレバー支持枠部
２３２・・・左バネ収容部
２３３・・・左バネ掛け部
２３４・・・左スリット
２３５・・・右バネ掛け部
２３６・・・右スリット
２１７・・・下壁面部
２４１・・・三角リブ
２５１・・・上連通窓
２５２・・・下連通窓
２５３ａ・・・連通窓上方枠部
２５３ｂ・・・連通窓下方枠部
２５４Ｌ，２５４Ｒ・・・切り欠き部
２５５・・・突条
２５６・・・シャッタ板側左バネ掛け部
２５７・・・シャッタ板側右バネ掛け部
２５８・・・長孔
２６１・・・筒部
２６２・・・横アーム
２６３・・・下アーム
２６４・・・突起
２７１，２７２・・・リブ
２８１・・・斜めカット面
２８２・・・後面壁
２８４・・・側壁部
【図１】
0004647467.tif 000002
【図２】
0004647467.tif 000003
【図３】
0004647467.tif 000004
【図４】
0004647467.tif 000005
【図５】
0004647467.tif 000006
【図６】
0004647467.tif 000007
【図７】
0004647467.tif 000008
【図８】
0004647467.tif 000009
【図９】
0004647467.tif 000010
【図１０】
0004647467.tif 000011
【図１１】
0004647467.tif 000012
【図１２】
0004647467.tif 000013
【図１３】
0004647467.tif 000014
【図１４】
0004647467.tif 000015